(57)【要約】【課題】蓄圧器を用いて強力なリム洗浄することができ、この蓄圧器の容積の小型化を図ることも可能な便器洗浄装置を提供する。【解決手段】リム３へはリムノズル４を介して洗浄水が供給され、トラップ部にはジェットノズル５が設けられている。リムノズル４及びジェットノズル５のいずれにも洗浄水を供給しない非洗浄時に、弁３３を閉、弁３１を開とし、蓄圧器３２に蓄水させる。洗浄に際しては、リムノズル４へ水道水圧によって水を供給開始すると共に、これに相前後して蓄圧器３２内の蓄圧水をリムノズル４へ供給する。【選択図】  図１
2004251020.tif 000002
【特許請求の範囲】
【請求項１】
便鉢のリムに給水するリム給水手段と、トラップ部に臨んだジェット孔に給水するジェット給水手段とを有し、
該リム給水手段は水道配管からの水道水圧によって水をリムに供給可能である便器洗浄装置において、
リムへの給水の一部として蓄圧器で蓄圧した蓄圧水を供給するための蓄圧水供給手段を備えたことを特徴とする便器洗浄装置。
【請求項２】
請求項１において、リムへの水道水圧による給水開始に先行して蓄圧水供給手段を作動させるよう構成されていることを特徴とする便器洗浄装置。
【請求項３】
請求項１において、リムへの水道水圧による給水開始と同時に蓄圧水供給手段を作動させるよう構成されていることを特徴とする便器洗浄装置。
【請求項４】
請求項１において、リムへの水道水圧による給水開始の後に蓄圧水供給手段を作動させるよう構成されていることを特徴とする便器洗浄装置。
【請求項５】
請求項４において、蓄圧水の供給停止と、水道水圧によるリム給水の停止と、ジェット給水の開始とが略同時であることを特徴とする便器洗浄装置。
【発明の詳細な説明】
【０００１】
【発明の属する技術分野】
本発明は、洋風便器に洗浄水を供給する便器洗浄装置に係り、特に該洋風便器がサイホンジェット式洋風便器である場合に採用される便器洗浄装置に関する。さらに詳しくは、本発明は、ロータンクやハイタンクなどのタンクを設置せず、水道水の水圧によって洗浄水を洋風便器に供給する便器洗浄装置の改良に関する。
【０００２】
【従来の技術】
従来用いられてきた洋風便器は、便器本体の後部上面にロータンクを設置し、該ロータンク内の水をリム等へ供給するロータンク式のものが多い。
【０００３】
このロータンク式洋風便器は、ロータンクの分だけ後方に出張るところから、近年、ロータンクを省略し、水道水圧によって洗浄水を給水することにより洋風便器の後方出張りを著しく小さくした洋風便器が急速に普及しつつある。この水道水圧による便器洗浄装置にあっては、便鉢内から汚物やペーパーを強力に排出するために、便器のトラップ部にジェット孔から水を噴出させてサイホン排出水流を形成するサイホンジェット式洗浄方式が採用されている。
【０００４】
ところで、水道水圧によって便器に給水する場合、水道水圧が低いと十分な水勢によって洗浄水を便器に供給することができない。この対策として、水道配管の途中に蓄圧器を設けることが特開平７−３００８９１号に記載されている。
【０００５】
【特許文献１】
特開平７−３００８９１号公報
【０００６】
【発明が解決しようとする課題】
特開平７−３００８９１号公報の洋風便器設備にあっては、洋風便器はブローアウト式洋風便器であり、洋風便器に供給される洗浄水の全量を蓄圧器によって蓄圧する必要があり、蓄圧器が大容積のものになる。
【０００７】
本発明は、小型の蓄圧器を用いても十分な鉢面洗浄能力を有した便器洗浄装置を提供することを目的とする。
【０００８】
【課題を解決するための手段】
本発明の便器洗浄装置は、便鉢のリムに給水するリム給水手段と、トラップ部に臨んだジェット孔に給水するジェット給水手段とを有し、該リム給水手段は水道配管からの水道水圧によって水をリムに供給可能である便器洗浄装置において、リムへの給水の一部として蓄圧器で蓄圧した蓄圧水を供給するための蓄圧水供給手段を備えたことを特徴とするものである。
【０００９】
かかる本発明の便器洗浄装置は、リムへの給水の一部のみを蓄圧器によって蓄圧したものであり、蓄圧器の容積が小さくて足りる。
【００１０】
本発明では、水道水圧によるリムへの給水に先行して蓄圧水供給手段を作動させてもよく、このようにすれば、後述の通り、鉢面の汚れをじっくりと洗い流すことができる。
【００１１】
また、水道水圧によるリムへの給水と同時に蓄圧水供給手段を作動させてもよく、このようにすれば、後述の通り、鉢面を強力に洗浄することができる。
【００１２】
また、水道水圧によるリムへの給水の後に蓄圧水供給手段を作動させてもよく、このようにすれば、後述の通り、著しく強力に鉢面洗浄を行うことができる。なお、この場合、蓄圧水の供給停止と、水道水圧によるリム給水の停止と、ジェット給水の開始とが略同時であるよう構成してもよい。このようにすれば、後述の通り、鉢からの排出水流を強力なものとすることができる。
【００１３】
【発明の実施の形態】
以下、図面を参照して実施の形態について説明する。図１（ａ）は実施の形態に係る便器洗浄装置を備えた洋風便器設備の斜視図、図１（ｂ）はその電動弁ユニット及び蓄圧水供給機構の構成図、図２は洋風便器の斜視図、図３は洗浄水供給流路の給水タイミングチャートである。
【００１４】
陶器製の洋風便器１は、前部に鉢部２を備え、この鉢部２の上部内周にリム３が設けられている。このリム３へはリムノズル４を介して洗浄水が供給される。このリムノズル４は、洋風便器１の正面向って左側にのみ配置されており、所謂「片側給水方式」となっている。このリムノズル４から水がリム３に供給されることにより、鉢面には旋回流が形成される。
【００１５】
鉢部２のトラップ部には、該トラップ部にサイホン排出流を誘起するための水（ジェット水）を噴出するジェットノズル５が設けられている。このトラップ部は、鉢部２の底部から斜め上方に立ち上がる上昇部と、該上昇部に連なり、下方に立ち下がる立下部とを有しており、この立下部が排水管（図示略）に連なっている。このトラップ構造自体は周知のものである。
【００１６】
洋風便器１の後部上面に便座ボックス６が設置されている。この便座ボックス６の後部は洋風便器１よりも若干後方に張り出し、その下側にアンダーケース７が連なっている。便座ボックス６に対し便座８及び便蓋９が起倒回動しうるように支持されている。
【００１７】
トイレルームの壁面には給水管の末端が突出しており、この給水管の末端に止水栓１０が取り付けられている。この止水栓１０は給水ホース１１を介して洋風便器１の後部に設置されたストレーナ１２に接続されている。このストレーナ１２を通過した水は電動弁ユニット２０へ供給可能とされると共に、該ストレーナ１２の２次側から分岐した配管３０及び弁３１を介して蓄圧器３２へ供給可能とされている。
【００１８】
電動弁ユニット２０は、内部に配置された弁装置２２，２３をモータ２１で駆動し、リムノズル給水配管２４又はジェットノズル給水配管２５へ水を供給する。前記蓄圧器３２内の蓄圧水は、弁３３及び配管３４を介してリムノズル給水配管２４へ放出可能とされている。
【００１９】
なお、停電時にも便器を使用できるようにするために、モータ２１の回転軸に手動式の洗浄ハンドル２８が取り付けられている。この電動弁ユニット２０及び蓄圧器３２は、便座ボックス６からアンダーケース７内に配置されている。
【００２０】
この電動弁ユニット２０には、リムノズル用給水配管２４内及びジェットノズル用給水配管２５内の負圧をブレークするためのバキュームブレーカ２６，２７が設けられている。このバキュームブレーカ２６，２７は、該給水配管２４又は２５内に負圧が生じたときに開弁して該給水配管２４又は２５内を大気に連通させるよう構成されている。
【００２１】
用便（大便）後に洋風便器１に洗浄水を供給するときには、弁２２が所定時間開弁し、水道水圧によってリム３へ洗浄水が供給され、鉢面に付着した汚れがトラップ部へ洗い落とされる。この実施の形態では、この電動弁ユニット２０によるリム３への洗浄水供給開始に先立って、又は同時に、もしくは供給開始後に、弁３３が開弁され、蓄圧器３２から蓄圧水が配管２４及びリムノズル４を介してリム３に供給される。
【００２２】
蓄圧水の供給開始から所定時間経過すると、弁３３が閉弁され、また、弁２２が閉弁する。この弁２２の閉弁後、又は閉弁と略同時に、弁２３が所定時間開弁し、ジェットノズル５から水が噴出してトラップ部にサイホンが誘起され、汚水が排水管へ排出される。その後、弁２３が閉弁し、次いで弁２２が再度所要時間開弁し、トラップ水が貯溜される。
【００２３】
この弁２２が閉弁した後、弁３１が所要時間開弁され、蓄圧器３２に水が蓄えられる。
【００２４】
この蓄圧器３２は、耐圧性外殻容器内を伸縮性の弾性隔膜によって空気蓄圧室と蓄水室とに区画した公知の構造を有している。弁３３を閉とした状態で弁３１を開にすると、水道水圧によって水が蓄圧器３２内に徐々に流入し、水道水圧（静圧）と等しい圧力の水が蓄圧器３２内に貯えられる。なお、水道配管からの水道水圧は、水道配管が細い場合などには、多量の吐水に伴ってかなり低い値となる。ところが、蓄圧器３２へは水が少しずつ流入するので、蓄圧器３２内に水道元圧とほぼ等しい水圧にて蓄水させることができる。この実施の形態では、水道元圧が２〜３ｋｇ／ｃｍ２程度であっても十分に蓄圧水を貯留させることができる。弁３１を閉とし、弁３３を開とすると、この蓄圧器３２内の蓄圧水が配管２４へ供給される。
【００２５】
電動弁ユニット２０及び弁３１，３３は図示しない制御器によって制御される。この制御器へは、洋風便器１の使用者の検知信号及びリモコン（図示略）のフラッシュスイッチ信号が入力され、これらの信号に基づいて電動弁ユニット２０及び弁３１，３３が作動される。
【００２６】
図３のパターン▲１▼では、弁２２の開弁に先立って（例えば１〜５秒程度先行して）弁３３を開とし、蓄圧水を放出する。そして、この蓄圧水の放出期間中に弁２２を開とし、水道水圧によるリム給水を開始する。この水道水圧によるリム給水の期間中に蓄圧水の放出が停止し、その後は水道水圧によるリム給水のみが続行される。
【００２７】
このパターン▲１▼によると、高圧の蓄圧水が単独でリム３に流出し、リム３の内面及び鉢面を濡らし、且つこれらに旋回流状の水膜を形成した後に、水道水圧によるリム給水が開始する。この水道水圧によるリム給水の水勢は穏やかであるが、リム３の内面や鉢面に既に旋回水流が形成されているので、水道水圧によるリム給水は、水勢が殆ど減衰することなくスムーズにリム３を周回し、鉢面に比較的強い旋回流が形成される。
【００２８】
このパターン１によると、比較的長時間にわたって鉢面に旋回流が形成されるので、鉢面の汚れをじっくりと洗い流すことができる。
【００２９】
図３のパターン▲２▼によると、弁２２を経由した水道水圧による給水と蓄圧器３２からの蓄圧水とが略同時に（例えば±１秒未満のうちに）リムノズル４からリム３へ吐出するので、リム３に多量の水が勢い良く流れ込み、鉢面に最初からまとまった水量の旋回流が形成される。このため、鉢面に強固にこびり付いた汚れであっても擦り取る如く洗い流すことができる。
【００３０】
図３のパターン▲３▼の方式によると、最初は弁２２を経由した水道水圧による穏やかな旋回流が鉢面に形成される。そして、鉢面にペーパーや軽微に付着した汚れが洗い流される。その後、例えば１〜５秒程度経過した後、このように水道水圧による給水によってリム３の内面及び鉢面に水膜が形成されている状態で蓄圧水が一気に流れ込んで来るので、蓄圧水の強力な流水が殆ど減衰せずに鉢面に流れ込み、高速旋回流を形成する。このため、鉢面に強固にこびり付いた汚れであっても十分に洗い流すことができる。
【００３１】
また、このパターン▲３▼の場合、蓄圧水が鉢面に急激に流れ込んで来ることにより、鉢面内の水位が一時的に高く上昇する。そして、この弁３３の閉弁と略同時（例えば±１秒以内）に弁２２を閉弁し、且つジェット用の弁２３を開弁してジェットノズル５からの噴出を開始すると、高まった水位が自重によってトラップを通り抜けようとする下降水流とジェット噴出水流とが重畳し、極めて強力な排出水流をトラップ部に形成することができる。
【００３２】
上記実施の形態は本発明の一例であり、本発明は図示以外の形態とされてもよい。例えば、上記実施の形態における弁３１は逆止弁であってもよい。また、蓄圧器３２は洋風便器内（例えば台座部の内側）に配置されてもよいが、水頭を稼ぐためになるべく高位に配置するのが好ましい。
【００３３】
【発明の効果】
以上の通り、本発明によると、水道水圧によってサイホンジェット式洋風便器を洗浄する場合に、蓄圧器を用いて強力なリム洗浄を行うことができる。また、本発明によると、この蓄圧器の容積の小型化を図ることも可能である。
【図面の簡単な説明】
【図１】（ａ）図は実施の形態に係る便器洗浄装置を備えた洋風便器設備の斜視図、（ｂ）はその電動弁ユニットの構成図である。
【図２】洋風便器の斜視図である。
【図３】実施の形態に係る便器洗浄装置の洗浄タイミングチャートである。
【符号の説明】
１  洋風便器
２  鉢部
３  リム
４  リムノズル
５  ジェットノズル
６  便座ボックス
７  アンダーカバー
１０  止水栓
１１  給水ホース
１２  ストレーナ
２０  電動弁ユニット
３２  蓄圧器
【図１】
2004251020.tif 000003
【図２】
2004251020.tif 000004
【図３】
2004251020.tif 000005